(57)【要約】  複数の太陽電池と、前記複数の太陽電池を把持する一対の把持部材を有した取付具とを備え、各太陽電池は、それぞれ一辺側の端部に設けられた第１電極端子と、対辺側の端部に設けられた第２電極端子とを有し、  前記太陽電池は、前記第１電極端子及び前記第２電極端子間の方向を配列方向に直交する方向にして並べられ、  前記一対の把持部材は、それぞれ前記第１電極端子及び前記第２電極端子から選ばれる少なくとも一方の電極端子を配置させる固定部と、前記固定部に対向配置させて前記少なくとも一方の電極端子を挟持する押え部と、前記固定部及び前記押え部を緊締する緊締部材とを有し、  前記固定部及び前記押え部の互いに対向する面の少なくともいずれか一方には電極間を電気的に導通させる導電材が配され、  一方向に並べられた前記複数の太陽電池を前記一対の把持部材によって前記一方向に直交する方向から挟み込むように把持し、前記複数の太陽電池間を電気的に接続する太陽電池の取付構造。
2017014182.tif 000002
【特許請求の範囲】
【請求項１】
複数の太陽電池と、前記複数の太陽電池を把持する一対の把持部材を有した取付具とを備え、各太陽電池は、それぞれ一辺側の端部に設けられた第１電極端子と対辺側の端部に設けられた第２電極端子とを有し、
前記太陽電池は、前記第１電極端子及び前記第２電極端子間の方向を配列方向に直交する方向にして並べられ、
前記一対の把持部材は、それぞれ前記第１電極端子及び前記第２電極端子から選ばれる少なくとも一方の電極端子を配置させる固定部と、前記固定部に対向配置させて前記少なくとも一方の電極端子を挟持する押え部と、前記固定部及び前記押え部を緊締する緊締部材とを有し、
前記固定部及び前記押え部の互いに対向する面の少なくともいずれか一方には電極間を電気的に導通させる導電材が配され、
一方向に並べられた前記複数の太陽電池を前記一対の把持部材によって前記一方向に直交する方向から挟み込むように把持し、前記複数の太陽電池間を電気的に接続する太陽電池の取付構造。
【請求項２】
一の太陽電池の前記第１電極端子と隣接する太陽電池の前記第２電極端子とが一方の前記把持部材に交互に把持されるように前記複数の太陽電池が並べられ、
前記一対の把持部材のうち一方の前記固定部又は前記押え部には、隣り合う一組の前記第１電極端子及び前記第２電極端子毎にこれら第１電極端子及び第２電極端子間に延びて電気的に導通させる前記導電材が設けられ、
もう一方の前記固定部又は前記押え部には、前記一方の固定部又は前記押え部の導電材では導通していない一組の隣り合う前記第１電極端子と前記第２電極端子毎にこれら第１電極端子及び第２電極端子に延びて電気的に導通させる導電材が設けられ、
隣り合う前記太陽電池間が直列接続されている請求項１に記載の太陽電池の取付構造。
【請求項３】
前記一対の把持部材のうち一方の把持部材には前記第１電極端子が複数把持され、もう一方の前記把持部材には前記第２電極端子が複数把持され、
前記一方の把持部材の前記固定部又は前記押え部には、隣り合う前記第１電極端子同士を電気的に導通させる導電材が設けられ、
もう一方の前記把持部材の前記固定部又は前記押え部には、隣り合う前記第２電極端子同士を電気的に導通させる導電材が設けられ、
前記太陽電池が並列接続されている請求項１に記載の太陽電池の取付構造。
【請求項４】
前記一対の把持部材に、複数の前記太陽電池の同一の電極を同一面側に向けるとともに一の太陽電池の前記第１電極端子と隣接する太陽電池の前記第２電極端子とを交互に把持させ、
導電材が前記固定部及び前記押え部のいずれかに形成され、
前記緊締部材は、前記導電材と、前記導電材が設けられた面と同一面を向く第１電極端子及び第２電極端子との間を導通させて電気的な接続が図られている請求項１又は２に記載の太陽電池の取付構造。
【請求項５】
前記取付具には、前記太陽電池が電気的に接続し得る場合に配置を許し、前記太陽電池が電気的に接続し得ない向きの場合に配置を許さない係合部及び被係合部の少なくともいずれか一方が形成され、
前記太陽電池には前記係合部及び被係合部に対応する被係合部及び係合部の少なくとも他方が形成されている請求項１から４のいずれか一項に記載の太陽電池の取付構造。
【発明の詳細な説明】
【技術分野】
【０００１】
本発明は、太陽電池の取付構造に関する。  本願は、２０１５年７月１７日に日本に出願された特願２０１５−１４３５０５号に基づき優先権を主張し、その内容をここに援用する。
【背景技術】
【０００２】
近年、化石燃料に代わるクリーンエネルギーの発電装置として太陽電池が注目され、シリコン（Ｓｉ）系太陽電池及び色素増感型太陽電池等の屋根や建物の壁面への施工が進められている。太陽電池の屋根や建物の壁面への設置は、高所での作業となるため、作業効率が悪く、また各パネルから取り出される端子に対し配線を引き回す必要があるため、作業が煩雑であるという問題があった。そこで、太陽電池の設置が容易な取付具が開示されている（例えば下記特許文献１）。
【先行技術文献】
【特許文献】
【０００３】
【特許文献１】特許第５６５９８２８号公報
【発明の概要】
【発明が解決しようとする課題】
【０００４】
しかし、上記特許文献１の取付具は、構造が複雑である上、太陽電池の固定が緩みやすく接触不良を発生させやすいという問題があった。
そこで、本発明は、電気的な接続を簡易かつ確実に行うことができる太陽電池の取付構造を提供する。
【課題を解決するための手段】
【０００５】
（１）本発明の太陽電池の取付構造は、複数の太陽電池と、前記複数の太陽電池を把持する一対の把持部材を有した取付具とを備え、各太陽電池は、それぞれ一辺側の端部に設けられた第１電極端子と対辺側の端部に設けられた第２電極端子とを有し、前記太陽電池は、前記第１電極端子及び前記第２電極端子間の方向を配列方向に直交する方向にして並べられ、前記一対の把持部材は、それぞれ前記第１電極端子及び前記第２電極端子から選ばれる少なくとも一方の電極端子を配置させる固定部と、前記固定部に対向配置させて前記少なくとも一方の電極端子を挟持する押え部と、前記固定部及び前記押え部を緊締する緊締部材とを有し、前記固定部及び前記押え部の互いに対向する面の少なくともいずれか一方には電極間を電気的に導通させる導電材が配され、一方向に並べられた前記複数の太陽電池を前記一対の把持部材によって前記一方向に直交する方向から挟み込むように把持し、前記複数の太陽電池間を電気的に接続する。
本発明は、一の太陽電池の前記第１電極端子と隣接する太陽電池の第２電極端子を一対の把持部材によって太陽電池の配列方向に直交する方向から把持し、一対の把持部材に設けられた導電材に接触させて電気的な接続を図るようになっている。したがって、本発明は、複数の太陽電池をシンプル且つ確実に取付対象に取り付け可能であり且つ電気的に接続可能となる。【０００６】
（２）本発明の太陽電池の取付構造は、前記第１電極端子と前記第２電極端子とが一方の前記把持部材に交互に把持されるように前記複数の太陽電池が並べられ、前記一対の把持部材のうち一方の前記固定部又は前記押え部には、隣り合う一組の前記第１電極端子及び前記第２電極端子毎にこれら第１電極端子及び第２電極端子間に延びて電気的に導通させる前記導電材が設けられ、もう一方の前記固定部又は前記押え部には、前記一方の固定部又は前記押え部の導電材では導通していない一組の隣り合う前記第１電極端子と前記第２電極端子毎にこれら第１電極端子及び第２電極端子に延びて電気的に導通させる導電材が設けられ、隣り合う前記太陽電池間が直列接続されている。
本発明は、複数の太陽電池を簡便に取り付け可能でありかつシンプルかつ確実に直列接続することができる。【０００７】
（３）本発明の太陽電池の取付構造は、前記一対の把持部材のうち一方の把持部材には前記第１電極端子が複数把持され、もう一方の前記把持部材には前記第２電極端子が複数把持され、前記一方の把持部材の前記固定部又は前記押え部には、隣り合う前記第１電極端子同士を電気的に導通させる導電材が設けられ、もう一方の前記把持部材の前記固定部又は前記押え部には、隣り合う前記第２電極端子同士を電気的に導通させる導電材が設けられ、前記太陽電池が並列接続されている。
本発明は、複数の太陽電池を簡便に取り付け可能でありかつシンプルかつ確実に並列接続することができる。【０００８】
（４）本発明の太陽電池の取付構造は、前記一対の把持部材に、複数の前記太陽電池の同一の電極を同一面側に向けるとともに一の太陽電池の前記第１電極端子と隣接する太陽電池の前記第２電極端子とを交互に把持させ、導電材が前記固定部及び前記押え部のいずれかに形成され、前記緊締部材は、前記導電材と、前記導電材が設けられた面と同一面を向く第１電極端子及び第２電極端子との間を導通させて電気的な接続が図られていてもよい。
本発明は、太陽電池の端部の向きを変えて把持部材に取り付けるだけで、複数の太陽電池を簡便に取り付け可能でありかつシンプルかつ確実に直列接続することができる。【０００９】
（５）本発明の前記取付具には、前記太陽電池が電気的に接続し得る場合に配置を許し、前記太陽電池が電気的に接続し得ない向きの場合に配置を許さない係合部及び被係合部の少なくともいずれか一方が形成され、前記太陽電池には前記係合部及び被係合部に対応する被係合部及び係合部の少なくとも他方が形成されていてもよい。
本発明は、太陽電池の取付具への取り付けを間違いなく行うことができる。
【発明の効果】
【００１０】
本発明は、建物の壁等の取付対象への太陽電池の取り付け及び太陽電池同士の電気的な接続を簡便かつ確実に行うことができるという効果を奏する。
【図面の簡単な説明】
【００１１】
【図１】本発明の一実施形態の太陽電池の取付構造を模式的に示した平面図である。
【図２】本発明の一実施形態の太陽電池の取付構造に適用可能な図１の太陽電池をＰ１−Ｐ１線で矢視し模式的に示した断面図である。
【図３】本発明の一実施形態の太陽電池の取付構造を平面上に分解して模式的に示した図である。
【図４】図１をＰ２−Ｐ２線で矢視した断面図である。
【図５】本発明の一実施形態の太陽電池の取付構造の他の例を平面上に分解して模式的に示した図である。
【図６】本発明の一実施形態の太陽電池の取付構造を平面上に分解して模式的に示した図である。
【発明を実施するための形態】
【００１２】
以下、図を参照して本発明による直列接続及び並列接続の太陽電池の実施形態について説明する。
まず、図１−図４を用いて、太陽電池の直列接続回路の形成及び太陽電池の取り付けが極めて容易、シンプルかつ確実となる本発明の太陽電池の取付構造Ｘ１について説明する。
図１に示すように、太陽電池の取付構造Ｘ１は、パネル型の太陽電池１ａ−１ｃと、直列接続回路を形成し且つ太陽電池１ａ−１ｃを不図示の建物の壁や屋根等の取付対象に取り付け可能な取付具２とを備えている。
【００１３】
太陽電池１ａ−１ｃとしては、一例として図１に示す１ａをＰ１−Ｐ１線で矢視した図２に示すように、平板状の光電極３と対極４とを備えたものであればどのようなものでも適用することができる。本実施形態では、図１に示す色素増感太陽電池（以下単に「電池」という）１ａ−１ｃを例示して太陽電池の取付構造Ｘ１について説明する。なお、図３においては、構造の理解の容易のために光電極３と対極４とを短手方向に僅かにずらして表示している（後述する図５，図６についても同様）。
【００１４】
電池１ａ−１ｃには、公知のものが用いられる。図２に示すように、電池１ａは、内部空間Ｋに電解液（不図示）を充填した状態で光電極３と対極４とを外縁Ｇを巡って貼り合わせ、平面視で略矩形に（図１参照）形成されている。なお、電池１ｂ，１ｃは、電池１ａと同じ構造である。
また、電解液に代えて電解質層を適用してもよい。前記電解質層は、電解液と同様の機能を有し、ゲル状又は固体状の何れかの状態である。前記電解質層としては、例えば電解液にゲル化剤又は増粘剤を加え、必要に応じて溶媒を除去することにより、電解液をゲル化又は固体化して得たものが適用できる。ゲル状又は固体状の電解質層を用いることにより、電池１ａ−１ｃから電解液が漏出する虞がなくなる。
【００１５】
光電極３は、透明基板５の表面５ａに透明導電膜６を成膜し、更に多孔質の半導体７を形成し、半導体７に色素を担持させている。対極４は、基板８の表面８ａに導電膜９を成膜して形成されている。
光電極３の一辺３ａに沿って短手方向（図２において紙面奥行き方向）に延びる端部（一辺側の端部）１０は、対極４の端縁４ａから突出しており、透明導電膜６が露出して第１電極端子２１を構成している。
【００１６】
図３に示すように、第１電極端子２１には、短手方向の中間部で矩形に切断した切欠き１８が形成されている。切欠き１８は、光電極３の短手方向中央に対し短手方向にずれた位置に形成されている。
図２示すように、対辺３ｂに沿って短手方向に延びる対極４の端部（対辺側の端部）１１は、光電極３の端縁３ｄから突出しており、導電膜９が露出して第２電極端子２２を構成している。
【００１７】
図３に示すように、第２電極端子２２には、短手方向の両端を矩形に切断した切欠１９が形成されている。
これら第１電極端子２１と第２電極端子２２とは、互いに反対方向に（すなわち電池１ａ−１ｃの配列方向に直交する方向に）突出し、かつ、互いに反対面を向くように形成されている。
【００１８】
取付具２は、図１に示すように第１電極端子２１及び第２電極端子２２が側端部Ｓ１，Ｓ２をなすように複数の電池１ａ−１ｃを一方向に配列させて、側端部Ｓ１，Ｓ２を一方向に直交する方向から把持する一対の把持部材１５Ａ，１５Ｂを具備している。「側端部Ｓ１，Ｓ２」とは、配列された電池１ａ，１ｂ，１ｃ全体の外形における側端部である。電池１ａ，１ｂ，１ｃは、第１電極端子２１及び第２電極端子２２が直線上に連なって一対の側端部Ｓ１，Ｓ１を形成するように、各電池１ａ−１ｃの第１電極端子２１及び第２電極端子２２間の方向を電池１ａ−１ｃの配列方向に対して直交する方向に向けている。
【００１９】
図３に示すように、把持部材１５Ａは、第１電極端子２１と第２電極端子２２とを一直線上に並べて交互に配置させる固定部１６Ａと、固定部１６Ａに対向配置させて第１電極端子２１及び前記第２電極端子２２を挟持する押え部１７Ａとをそれぞれ有している。
把持部材１５Ｂは、第１電極端子２１と第２電極端子２２とを一直線上に並べて交互に配置させる固定部１６Ｂと、固定部１６Ｂに対向配置させて第１電極端子２１及び前記第２電極端子２２を挟持する押え部１７Ｂをそれぞれ有している。
【００２０】
固定部１６Ａは、合成樹脂材料等の絶縁材料を用いて長尺な矩形に形成されている。
固定部１６Ａの表面１６ｓには、電池１ａ−１ｃの端部１０，１１を載置させる第１嵌合凹所２５及び第２嵌合凹所２６が形成されている。
第１嵌合凹所２５と第２嵌合凹所２６とは、固定部１６Ａの短手方向の一端１６ａ側に開口するように、かつ、固定部１６Ａの長手方向に交互に形成されている。
【００２１】
第１嵌合凹所２５は、平面視で端部１０の外形に合わせて端部１０よりも僅かに大きく形成されている。そして第１嵌合凹所２５の底面２５ｔには、第１電極端子２１を第１嵌合凹所２５に対向配置させた場合に切欠１８に嵌合させる突起２５ａが形成されている。この切欠１８及び突起２５ａは、電池１ａの短手方向中央に対してずれた位置で互いに対応するように形成されている。
【００２２】
第２嵌合凹所２６は、平面視で端部１１の外形に合わせて端部１１よりも僅かに大きく形成されている。そして第２嵌合凹所２６の底面２６ｔには、第２電極端子２２を底面２６ｔと同じ方向に向けた場合に（すなわち本図において紙面手前に向けた場合に）切欠１９に嵌合させる突起２６ａが形成されている。
これらの第１嵌合凹所２５及び第２嵌合凹所２６の深さは、電池１ａ−１ｃの厚さ寸法よりも小さく形成されている。
【００２３】
このように、第１嵌合凹所２５及び端部１０の形状は、短手方向の中心線に対して対称に形成されておらず、また第１嵌合凹所２５及び第２嵌合凹所２６並びに端部１０及び端部１１は、長手方向の中心線に対しても対象に形成されていない。したがって、第１嵌合凹所２５は、図３に示すように第１電極端子２１を底面２５ｔに対向させて端部１０を配置しようとした場合には端部１０を嵌合させる。しかし、第１嵌合凹所２５は、第１電極端子２１を反対面に向けて端部１０を配置しようとした場合には突起２５ａと切欠き１８とがかみ合わないため、突起２５ａが端部１０の嵌合を阻止するようになっている。
【００２４】
また、端部１０を第２嵌合凹所２６に嵌合させ、端部１１を第１嵌合凹所２５に嵌合させようとしても、第１嵌合凹所２５及び第２嵌合凹所２６の各突起２５ａ，２６ａが端部１１及び端部１０の嵌合を阻止するようになっている。
固定部１６Ａの第１嵌合凹所２５及び第２嵌合凹所２６が形成された表面１６ｓには、一組の第１嵌合凹所２５及び第２嵌合凹所２６毎に、これら一組の第１嵌合凹所２５及び第２嵌合凹所２６同士の間に亘って連続的に導電材Ｅが配されている。
【００２５】
具体的には、電池１ａの第１電極端子２１と電池１ｂの第２電極端子２２とに対応する第１嵌合凹所２５と第２嵌合凹所２６とに跨って導電材Ｅが連続的に設けられている。そして、固定部１６Ａの側においては、電池１ｂと電池１ｃとの間には導電材Ｅは設けられず、電池１ｃの第１電極端子２１に対応する第１嵌合凹所２５の表面から電池１ｃ側の一端に設けられた端子４５に向かって導電材Ｅがさらに設けられている。
固定部１６Ａ及び押え部１７Ａの長手方向には、これらの間に電池１ａ−１ｃを挟み込んだ際に、図４に示すように、第２電極端子２２及び導電材Ｅを貫通する位置に貫通孔３０が形成されている。貫通孔３０にはビス等の緊締部材４０が挿通できるようになっている。
【００２６】
固定部１６Ｂには、固定部１６Ａに嵌合させた電極端子と反対の電極端子を配することができるように、第２嵌合凹所２６，第１嵌合凹所２５，第２嵌合凹所２６がこの順で形成されている。また、固定部１６Ｂにおいては、電池１ａに対応する側の端部に形成された端子４５と第２嵌合凹所２６との間を導通させるように導電材Ｅが設けられている。導電材Ｅは、更に電池１ｂの第１電極端子２１に対応する第１嵌合凹所２５と電池１ｃの第２電極端子２２に対応する第２嵌合凹所２６とに跨って連続的に形成されている。
固定部１６Ｂ及び押え部１７Ｂの長手方向には、これらの間に１ａ−１ｃを挟み込んだ際に、図４に示すように、第２電極端子２２及び導電材Ｅを貫通する位置に貫通孔３０が形成されている。貫通孔３０にはビス等の緊締部材４０が挿通できるようになっている。
【００２７】
このようにして、固定部１６Ａ及び固定部１６Ｂには、第１嵌合凹所２５及び第２嵌合凹所２６の組み合わせを一つずつずらして導電材Ｅが設けられている。この導電材Ｅは、長尺な帯状に形成され、固定部１６Ａにおいては第１導電部２７を構成し固定部１６Ｂにおいては第２導電部２８を構成している。
【００２８】
導電材Ｅは、所定の厚み（例えば１０μｍ以上５００μｍ以下程度）を有する導電テープ又は導電ペースト等により形成されている。
押え部１７Ａ，１７Ｂは、合成樹脂材料等の絶縁材料を用いて固定部１６Ａと同じ外形で形成されている。
【００２９】
緊締部材４０は、貫通孔３０よりも僅かに大きな断面積に形成されており、貫通孔３０に挿通された際に第２電極端子２２及び第１導電部２７並びに第２電極端子２２及び第２導電部２８に接触するようになっている。また、緊締部材４０は、固定部１６Ａ（１６Ｂ）と押え部１７Ａ（１７Ｂ）とを密着させるように緊締が可能で、導通性を有しているものが用いられる。
【００３０】
このようにして、第２電極端子２２と導電材Ｅとが緊締部材４０により導通する構成になっている。そして、切欠き１８，１９及び第１嵌合凹所２５，第２嵌合凹所２６は、電池１ａ−１ｃ同士が電気的に接続できる向きである場合にのみ嵌合（配置）を許し、それ以外の向きの場合には互いに係合して配置を許さない係合部又は被係合部を構成している。
【００３１】
次に、電池１ａ−１ｃの取付具２への取り付け方及び取付具２による直列接続回路の形成の仕方について説明する。
まず、図３に示すように、固定部１６Ａと固定部１６Ｂとに電池１ａ−１ｃを嵌合させ得る間隔を空けて固定部１６Ａ，１６Ｂを配置する。
固定部１６Ａの第１嵌合凹所２５には、電池１ａ，１ｃの第１電極端子２１を底面２５ｔに対向させて端部１０を嵌合させる。そうすると、電池１ａ，１ｃの端部１１が、第２電極端子２２を底面２６ｔと同じ向にして固定部１６Ｂの第２嵌合凹所２６に嵌合する。
【００３２】
固定部１６Ａの第２嵌合凹所２６には、電池１ｂの第２電極端子２２を底面２６ｔと同じ向きにして端部１１を嵌合させる。そうすると、電池１ｂの端部１０が、第１電極端子２１を底面２５ｔに対向させて固定部１６Ｂの第１嵌合凹所２５に嵌合する。
次に、端部１０，１１を間に挟んだ状態で、押え部１７Ａを固定部１６Ａの表面１６ｓ上に配置する。そして、貫通孔３０に緊締部材４０を挿通させて固定部１６Ａと押え部１７Ａとを緊締する。
同様にして押え部１７Ｂを固定部１６Ｂの表面１６ｓ上に配置する。そして、貫通孔３０に緊締部材４０を挿通させて固定部１６Ｂと押え部１７Ｂとを緊締する。
【００３３】
そうすると、第１電極端子２１が導電材Ｅと直接に接触し、第２電極端子２２が緊締部材４０を介して導電材Ｅと接触する。その結果、把持部材１５Ｂの端子４５と第２導電部２８と電池１ａの第２電極端子２２とが導通する。また、隣り合う電池１ａ−１ｂが把持部材１５Ａにおいて第１導電部２７により導通する。更に、電池１ｂ−１ｃが第２導電部２８により導通する。
この状態で、電池１ａ−１ｃを把持した取付具２を建物の壁又は屋根等の取付対象に接着テープ又はビス等で取り付ける。
【００３４】
以上のように、電池１ａ−１ｃを一対の把持部材１５Ａ，１５Ｂに取り付けると、把持部材１５Ｂの端子４５から電池１ａ、電池１ａから電池１ｂ、電池１ｂから電池１ｃ、電池１ｃから把持部材１５Ａの端子４５へと順につながり、極めて簡単に直列接続回路が形成される。
【００３５】
また、第１導電部２７及び第２導電部２８が、対向する第１電極端子２１に面で広く接するように、長尺な帯状に形成されている。そして、緊締部材４０をしっかりと緊締することによって、押え部１７Ａ，１７Ｂが固定部１６Ａ，１６Ｂに対し強く密着した状態で固定される。したがって、第１電極端子２１に接触している導電材Ｅが可及的に広い面積でしっかりと密着する。
【００３６】
このように、太陽電池の取付構造Ｘ１は、把持部材１５Ａ及び把持部材１５Ｂに電池１ａ−１ｃの端部１０，１１を把持させ緊締部材４０で緊締するだけで、極めて簡単に太陽電池１ａ−１ｃを取付対象に取り付けることができるという効果を奏する。また、太陽電池の取付構造Ｘ１は、直列接続回路をシンプルかつ確実に形成することができるという効果を奏する。
【００３７】
また、太陽電池１ａ−１ｃの取付構造Ｘ１は、電池１ａ−１ｃに切欠き１８，１９を形成し、固定具１６Ａ，１７Ａに突起２５ａ，２６ａを形成している。したがって、太陽電池の取付構造Ｘ１は、電池１ａ−１ｃの電極の向き及び表裏の間違いがあると端部１０，１１を固定部１６Ａ，１６Ｂに配置させない。すなわち、太陽電池の取付構造Ｘ１は、太陽電池１ａ−１ｃの誤配置を防止して適切に直接接続回路を形成することができるという効果を奏する。
また、太陽電池の取付構造Ｘ１は、取付具２の構造が極めてシンプルであるため、外観的に優れているという効果を奏する。
【００３８】
なお、上記に例示した実施形態において、把持部材１５Ａ，１５Ｂに３つの色素増感太陽電池を設置できるようにしたが、設置数は適宜設定することができる。
また、切欠き１８，１９は線対称の位置に形成されていないものが１つ以上あればよく、その余はどのような位置又は形状でいくつ形成してもよい。ただし、同一の形状の２つの把持部材１５Ａ，１５Ｂを一組として利用できるようにすることを考慮すると、切欠き１８，１９は回転対称に形成されていることが望ましい。
【００３９】
また、上記実施形態において、係合部及び被係合部の例を切欠き１８，１９により説明したが、係合部及び被係合部は、互いに嵌合する凹部及び凸部又は対応する貫通孔と挿入部等により形成してもよい。
【００４０】
なお、上記の実施形態においては、全ての電池１ａ−１ｃの光電極を同一面に向けて把持部材１５Ａ，１５Ｂに取り付ける構成としたが、電池１ａ−１ｃの向きは上記に説明したものに限定されない。すなわち、対極４が透光性を有するように形成されているか、又は全ての電池によって発電をさせなくてもよい場合には、一部の電池の対極４を光電極３と同じ向きにし、把持部材１５Ａ，１５Ｂにより把持させる取付構造としてもよい。
【００４１】
具体的には、例えば図５に示すような太陽電池の取付構造Ｘ２とすることができる。すなわち、電池１ａは、光電極３を正面に向けて把持部材１５Ａ、１５Ｂに把持させる。電池１ｂは、電池１ａと同様の構造の電池を裏返して対極４を正面に向けるとともに電極端子の向きを入れ替えた姿勢で把持部材１５Ａ，１５Ｂに把持させる。更に、電池１ｃは、電池１ａと同様の構造の電池を電池１ａと同じ姿勢で把持部材１５Ａ，１５Ｂに把持させる。
【００４２】
導電材Ｅは、電池１ａの第１電極端子２１と電池１ｂの第２電極端子２２に対応する把持部材１５Ａの第１嵌合凹所２５と第２嵌合凹所２６との間に連続して設ける。
また、把持部材１５Ａの残りの第１嵌合凹所２５と端子４５との間に導電材Ｅを連続して設ける。
また、把持部材１５Ｂにおいては、押え部１７Ｂの端部に端子４５を設け、電池１ａの第２電極端子２２に対向する押え部１７Ｂの板面に導電材Ｅを配する。更に、電池１ｂの第１電極端子２１と電池１ｃの第２電極端子２２とに対向する押え部１７Ｂの板面に導電材Ｅを連続的に配する。
【００４３】
以上のように把持部材１５Ａ，１５Ｂに導電材Ｅを設け、電池１ａ−１ｃを把持部材１５Ａ，１５Ｂに把持させることで、簡便かつ確実に直列接続を取ることができる。また、電極端子はいずれも導電材Ｅに対向して直接に接触させることができるため、より確実に電気的な接続を取ることができるという効果を奏する。
【００４４】
また、図５に示すように、電池１ａ―１ｃの一の角部を三角形に切断して切欠１８を形成し、切欠１８の対角を矩形に切断して切欠１９を形成してもよい。このように切欠１８，１９を形成しても電池１ａ−１ｃの表裏及び向きを誤った配置を有効に防止することができる。
【００４５】
次に、並列接続回路を形成する本発明の太陽電池の取付構造Ｘ３の一実施形態について図６を用いて説明する。本実施形態において、前述した直列接続回路の太陽電池の取付構造Ｘ１と同一の構成については同一の符号を付し、その説明を省略する。
【００４６】
本実施形態の太陽電池の取付構造Ｘ３は、第１電極端子２１が全て同一方向で同一面側を向き、一方の把持部材１５Ａの第１導電部２７により導通するようになっている。また、第２電極端子２２も同様に、全て同一方向で同一面側を向き、もう一方の把持部材１５Ｂの第２導電部２８により導通するようになっている。
【００４７】
この構成により、太陽電池の取付構造Ｘ３は、極めて簡便かつ確実に並列接続回路を形成することができるとともに、簡便に電池１ａ−１ｃを取付対象に取り付けることができ、その他前述した実施形態と同一の作用及び効果を奏する。
【００４８】
なお、本発明の太陽電池の取付構造は、各電池の第１電極端子２１及び第２電極端子２２間の方向を配列方向に直交する方向に向けて複数の電池を一方向に配列し、固定部１６Ａ，１６Ｂ及び押え部１７Ａ，１７Ｂに導電材Ｅが適宜形成され、把持部材１５Ａ，１５Ｂにより複数の電池を配列方向（一方向）に直交する方向から挟み込んで把持し電気的接続を図るものであれば、どのような構成であってもよい。
なお、上記各実施形態において、取付具２に取り付けられる電池１ａ−１ｃは、それぞれ１つの発電素子により構成されているが、本発明はかかる構成に限定されない。すなわち、本発明に適用される電池は、第１電極端子２１と第２電極端子とを２２とが、それぞれ一辺側の端部と対辺側の端部とに形成されたものであれば、複数の発電素子を集合させてモジュール化させたものであってもよい。
【符号の説明】
【００４９】
Ｘ１，Ｘ２，Ｘ３  太陽電池の取付構造
２    取付具
３    光電極
３ａ  一辺
３ｂ  対辺
４    対極
１５Ａ，１５Ｂ  把持部材
１６Ａ，１６Ｂ  固定部
１７Ａ，１７Ｂ  押え部
１８  切欠（係合部）
１９  切欠（係合部）
２１  第１電極端子
２２  第２電極端子
２５  第１嵌合凹所（被係合部）
２６  第２嵌合凹所（被係合部）
Ｅ    導電材
【図１】
2017014182.tif 000003
【図２】
2017014182.tif 000004
【図３】
2017014182.tif 000005
【図４】
2017014182.tif 000006
【図５】
2017014182.tif 000007
【図６】
2017014182.tif 000008
【国際調査報告】
2017014182.tif 000009
2017014182.tif 000010
2017014182.tif 000011
2017014182.tif 000012